(57)【特許請求の範囲】
【請求項１】
印象模型を載置される分割プレートと、前記分割プレートに一体に接合された支持基台とからなる歯科作業模型の基台であって、
前記分割プレートは、前記支持基台に接合する面に複数の溝が設けられ、且つ前記複数の溝の間にピンを設けられ、
前記支持基台は、前記溝に対応する溝を設けられ、且つ前記ピンを嵌挿するピン挿入用孔を設けられ、前記ピンを前記ピン挿入用孔にはめ合わせた状態で前記分割プレートと前記基台とが接合される、歯科作業模型の基台。
【請求項２】
分割プレートの溝は、分割プレートと支持基台の境界面である分割プレートの下面にピンの各々の間に印象模型の歯の間隔に対応した間隔をおいて、前端から後端に亘って延伸した鋸誘導用溝であり、
支持基台の溝は、前記鋸誘導用溝に対応して、支持基台の上面のピン挿入用孔の各々の間に延伸した、鋸待機用溝である、請求項１に記載の歯科作業模型の基台。
【請求項３】
前記分割プレートは、石膏・タルク、硬度１程度の無機質素材を混入した合成樹脂によって、ピンとともに一体形成されたものである、請求項１又は請求項２に記載の歯科作業模型の基台。
【請求項４】
支持基台は、支持基台と分割プレートを積層する状態に、互いに嵌着した構造において定位置に連結するための、アンダーカットを有する凸部を備え、
分割プレートは、支持基台の上面の前記凸部の下部のアンダーカット面に対応するテーパー（傾斜）を備えた凹部を備えた、請求項１ないし請求項３のいずれかに記載の歯科作業模型の基台。
【請求項５】
前記支持基台の上面と分割プレートの下面との何れかに凸部を設けられ、且つ前記支持基台の上面と分割プレートの下面との何れかに前記凸部に対応する凹部を付与された、請求項１ないし請求項４のいずれかに記載の歯科作業模型の基台。
【請求項６】
ピンを抜き差しできるように挿入するピン挿入用孔にピンを挿入して、分割プレートを支持基台の定位置に配置する、第１工程と、
分割プレートに印象模型を接着剤で固定する、第２工程と、
支持基台の鋸待機用溝に鋸を沿わせ、印象模型の支台歯の両側をめがけて、分割プレートの鋸誘導用溝から印象模型の歯頸部付近の分割移行部まで切り上げる、第３工程と、
印象模型の支台歯の両側上部から第３工程の分割移行部まで切り下げて前記第３工程で切り上げられた切断部分と接続する、第４工程とを有する、歯科作業模型の製造方法。
【請求項７】
複数の溝が設けられかつ前記溝の間にピンが設けられた分割プレートと、前記ピンにはまり合うピン挿入用孔及び前記分割プレートの溝に対応する溝を設けた支持基台とを用意し、前記ピン挿入用孔に前記ピンをはめ合わせ、前記分割プレートと前記支持基台を接合することにより基台を形成する第１工程と、
前記分割プレートの上に印象模型を接着剤で貼り付ける、第２工程と、
分割プレートの上に貼り付けた前記印象模型の支台歯の両側において、印象模型を前記分割プレートの溝から切り上げる、第３工程と、
前記印象模型の支台歯の両側において、印象模型を上部から切り下げる、第４工程とを有する、歯科作業模型の製造方法。
【請求項８】
前記支持基台として、その側面に傾斜を備え、その上面が分割プレートの底面より一回り小さい嵌着面を有するものを用いる、請求項６又は７に記載の歯科作業模型の製造方法。
【発明の詳細な説明】
【技術分野】
【０００１】  本発明は、歯科補綴物等の作製等の歯科作業に用いる歯科作業模型の基台及びその製造方法に関する。
【背景技術】
【０００２】
人間の歯の歯質の一部または大部分が、齲蝕あるいはその他の原因によって欠損している場合に、処置する歯冠は、その全ての面を切削し、鋳造された金属で被覆して、咀嚼その他の生理的機能を回復することを必要とする。そのための修復物は、複雑な形態をもち、さまざまな要件を満たさなければならないため、修復物は、口腔内で直接製作することは不可能である。このために、修復物は、口腔外で製作されなければならないが、その製作のためには口腔内の状態を口腔外に再現した作業模型を必要とする。その作業模型は、支台歯、歯列、欠損部その他の口腔内の形態を正確に再現したものでなければならない。
従来、歯科補綴物製作時には、図３３及び図３４記載のように、（１）患者の口腔からとった歯形陰型に基づいて石膏を流し、硬化後底面を平らに削って歯科作業用の複模型１００１とし、（２）基底面１０１２に必要に応じて回転防止溝１０１３を形成した後、（３）前記基底面に穴を開けてダウエルピン１０１１を、互いが並行になるように前記基底面の穴に一本一本接着剤等により植立し、前記基底面及び前記ダウエルピン１０１１に離型剤（例えば界面活性剤）を塗布する。（４）その後、基台用シリコーンゴム型枠等（記載なし）に石膏（二次石膏）を流し込み、前記ダウエルピン１０１１の部分を埋没させる等の方法で作業用基台部分１００３を作り、（５）二次石膏の硬化後、前記複模型１００１と前記作業用基台１００３の前記接合面１０１２を確認できるまで周囲を削る。（６）その後、図３４記載のように前記複模型１００１の支台歯Ｃの両側を平行にかつ前記ダウエルピン１０１１にも並行になるよう、前記複模型１００１の上部より前記接合面１０１２に垂直に図３５記載の石膏専用鋸９により切断する。
以上の作業工程により、前記支台歯Ｃを抜きとるとともに前記複模型１００１への定位置に戻すことを可能とし、前記支持基台１００３より、支台歯Ｃの抜き差し可能な、歯科作業用印象模型を作製する。
前記作業工程は、補綴物作製の必要な症例において実施する歯科作業用の印象模型作製の作業工程である。
この方法以外にも新たに創案された特許第４４０５９３１号のように、二次石膏の代わりにプラスチック製の土台の上にダウエルピンが植立された状態のランドと呼ばれるプレートを積層することで作業工程（３）（４）を省く工程により製作する方法が、考案されている。
【先行技術文献】
【特許文献】
【０００３】
【特許文献１】特許第４１１２７３２号
【特許文献２】特開平５−９６６７６号
【特許文献３】特開第４４０５９３１号
【発明の概要】
【発明が解決しようとする課題】
【０００４】
しかし、前記した支台歯Ｃを切り出すための切断方法では、図３３記載の如く前記支台歯Ｃの両側を平行にかつダウエルピン１０１１にも平行に、接合面１０１２に垂直に上部より鋸９により切断し、基底面１０１２の面積を確保することにより前記歯科作業用模型を作製していた。しかしながら、図３３記載の如く凹凸の少ない正常歯列の症例には前記の如く上部からのラインＤに沿って鋸で切断する、１工程での切断方法は適している。しかしながら、特に虫歯になりやすく補綴物の必要になりやすい症例である、図３４記載の如く歯列に凸凹を有する不正歯列の症例の場合には、前記支台歯Ｃの両側を、接合面１０１２までを鋸９により図３４に記載のラインＢの如く斜めに切断しなければならないことが多く、隣接側面図として、図３５Ｅ及び図１２Ｆに記載の如く、支台歯Ｃの切断のための作業工程において前記ダウエルピン１０１１の近くを切断せざるを得ず、支台歯Ｃ及び隣接歯に立てたダウエルピンを傷つけてしまう。または、１工程で切断する従来の切断方法では、複模型１００１の基底面の面積が図３５Ａ及び図３５Ｂに示すように小さくなってしまうことは避けられない。【０００５】
前記接合面１０１２の面積を少しでも広く確保するために、前記切断途中で鋸９の応力を利用して方向を変えて切り下げるしか方法がなく、図３５記載のラインＢと同じく切断することになり、その結果図３５Ａに記載の如く支台歯Ｃの基底面１０１２の面積が、極めて小さくなることは避けられない。特に、図３５Ｂを含む図３５Ｃ及びラインＢでの切断面である図３５Ｄの隣接面に見られるように、支台歯Ｃの基底面１０１２の面積は、前記図３５Ｃに比べて非常に巾が狭く、抜き差ししながらの歯科技工作業中に必要な、十分な基底面１０１２の面積を確実に確保することが難しく、支台歯を安定した位置に戻すことが困難となる。【０００６】
また、複模型１００１は、割れ・欠け・崩れの恐れのある石膏により作製されており、十分な基底面１０１２を安定して確実に確保することは困難であることから、作業模型製作段階において精度の高い補綴物７を製作のためには、熟練を要する歯科技工作業となる問題がある。さらに補綴物作製の作業中に割れる・欠ける・崩れる等の問題が生じ、補綴物製作後に廃棄ゴミを生み出すという問題もある。【０００７】
前記歯科作業用模型を作製するにあたり、図３３（正常歯列）及び図３４（不正常歯列）記載の支台歯Ｃを容易に抜き差しできることと、支台歯Ｃを複模型１００１の定位置に安定して戻せることは歯科補綴物７を作製する作業工程において、欠かすことが出来ない。なぜなら、精度の高い歯科作業用模型で作製された補綴物７は、口腔内にセットされる時、医療現場で調整を必要としない程の精度の高い補綴物の作製につながるからである。また、同時に医療現場での微調整や仕上げ等にも前記印象模型が使われるので、特に図３４記載のように、凹凸を有する不正歯列の症例において、前記した欠点は、作製した補綴物の適合に関して大きな障害となる。【０００８】
補綴物作製のための作業模型は、支台歯、歯列、欠損部その他の口腔内の形態を性格に再現したもので無ければならない。しかしながら、従来からの作製方法で作業模型を製造することは、歯形と歯列模型の位置関係が狂いやすく、複雑な製作手順や操作が多くなり、歯列模型、対合歯列模型の咬合関係を正確に再現するには、熟練と時間を要する手作業が多く、作業性が悪いという欠点がある。
また、補綴物作製のための作業模型は、補綴物作製時に、顎の動きによる噛み合わせの再現をするために、咬合器に石膏で装着するが、補綴物の製作完了後に、咬合器から取り外し、石膏等を工業廃棄物として処理する。このときの作業時間と処理費用の負担は、大きいという欠点がある。【０００９】  本発明は、以上のような問題点を解決し、不正歯列の場合でもピンを傷つけることなく、作業用基台との接合面の面積を十分に確保でき、精度の高い補綴物の製作を可能とする、歯科作業用模型の基台及びその製造方法を提供しようとするものである。
【課題を解決するための手段】
【００１０】
この発明にかかる歯科作業模型の基台は、印象模型を載置される分割プレートと、前記分割プレートに一体に接合された支持基台とからなる歯科作業模型の基台であって、前記分割プレートは、前記支持基台に接合する面に複数の溝が設けられ、且つ前記複数の溝の間にピンを設けられ、前記支持基台は、前記溝に対応する溝を設けられ、且つ前記ピンを嵌挿するピン挿入用孔を設けられ、前記ピンを前記ピン挿入用孔にはめ合わせた状態で前記分割プレートと前記基台とが接合される、歯科作業模型の基台である。
この発明の請求項２にかかる歯科作業模型の基台においては、分割プレートの溝は、分割プレートと支持基台の境界面である分割プレートの下面にピンの各々の間に印象模型の歯の間隔に対応した間隔をおいて、前端から後端に亘って延伸した鋸誘導用溝であり、支持基台の溝は、前記鋸誘導用溝に対応して、支持基台の上面のピン挿入用孔の各々の間に延伸した、鋸待機用溝である、請求項１に記載の歯科作業模型の基台である。
この発明の請求項３にかかる歯科作業模型の基台においては、前記分割プレートは、石膏・タルク、硬度１程度の無機質素材を混入した合成樹脂によって、ピンとともに一体形成されたものである、請求項１又は請求項２に記載の歯科作業模型の基台である。
この発明の請求項４にかかる歯科作業模型の基台においては、支持基台は、支持基台と分割プレートを積層する状態に、互いに嵌着した構造において定位置に連結するための、アンダーカットを有する凸部を備え、分割プレートは、支持基台の上面の前記凸部の下部のアンダーカット面に対応するテーパー（傾斜）を備えた凹部を備えた、請求項１ないし請求項３のいずれかに記載の歯科作業模型の基台である。
この発明の請求項５にかかる歯科作業模型の基台は、前記支持基台の上面と分割プレートの下面との何れかに凸部を設けられ、且つ前記支持基台の上面と分割プレートの下面との何れかに前記凸部に対応する凹部を付与された、請求項１ないし請求項４のいずれかに記載の歯科作業模型の基台である。
この発明の請求項６にかかる歯科作業模型の製造方法は、ピンを抜き差しできるように挿入するピン挿入用孔にピンを挿入して、分割プレートを支持基台の定位置に配置する、第１工程と、分割プレートに印象模型を接着剤で固定する、第２工程と、支持基台の鋸待機用溝に鋸を沿わせ、印象模型の支台歯の両側をめがけて、分割プレートの鋸誘導用溝から印象模型の歯頸部付近の分割移行部まで切り上げる、第３工程と、印象模型の支台歯の両側上部から第３工程の分割移行部まで切り下げて前記第３工程で切り上げられた切断部分と接続する、第４工程とを有する、歯科作業模型の製造方法である。
この発明の請求項７にかかる歯科作業模型の製造方法は、複数の溝が設けられかつ前記溝の間にピンが設けられた分割プレートと、前記ピンにはまり合うピン挿入用孔及び前記分割プレートの溝に対応する溝を設けた支持基台とを用意し、前記ピン挿入用孔に前記ピンをはめ合わせ、前記分割プレートと前記支持基台を接合することにより基台を形成する第１工程と、前記分割プレートの上に印象模型を接着剤で貼り付ける、第２工程と、分割プレートの上に貼り付けた前記印象模型の支台歯の両側において、印象模型を前記分割プレートの溝から切り上げる、第３工程と、前記印象模型の支台歯の両側において、印象模型を上部から切り下げる、第４工程とを有する、歯科作業模型の製造方法である。
この発明の請求項８にかかる歯科作業模型の製造方法は、前記支持基台として、その側面に傾斜を備え、その上面が分割プレートの底面より一回り小さい嵌着面を有するものを用いる、請求項６又は７に記載の歯科作業模型の製造方法である。
【発明の効果】
【００１１】
請求項１に記載の本発明は、下部に平行なピンを設けた分割プレートと、前記ピンを嵌め合わせるための穴を有する支持基台とで歯科技工用作業模型の基台としたことで、印象模型の基底面に穴を開けて接着剤等でピンを１本１本平行に植立していた作業工程を省き、石膏を型枠等に流し込んで作製していた支持基台の作業工程も省き、分割プレートに印象模型を貼り付けるだけで、支台歯の切断作業に取り掛かることが出来ることから、熟練を要することなく、非常に簡単に、短時間で歯科作業用の印象模型を準備することを可能とした。
さらに、前記分割プレートのピンとピンとの間に溝を設けると共に、嵌合する支持基台にも前記溝に対応する溝を設けたことで、前記支持基台の溝に鋸を待機させて、前記分割プレートを嵌め合わせ、上方の印象模型に向けて切り上げる工程を可能とした。前記工程により、非常に困難であった不正歯列の症例の支台歯切断における基底面の確実な面積の確保が実現できることから、支台歯を支持基台より容易に抜き差し可能とし、かつ精度の高い定位置に戻すことを可能とした。
前記支持基台は、上部に溝を設けたことで、正常歯列に使用した場合、（上部より１工程での前記接合面迄の切断時）でも、鋸による傷等が付きにくい。そのために、前記分割プレートのみを交換するだけで、支持基台自体は何度も繰り返し、歯科作業用模型の基台として機能でき、使用後も全てをリサイクル可能とし、石膏による廃棄ゴミを出さない。
請求項３の発明では、前記分割プレートは、樹脂製とし、石膏・タルクまたは無機質でかつ硬度１程度の素材を混入することで、従来の石膏の脆さを補いつつ前記樹脂が石膏の硬度１と同程度に調整可能となるので、前記分割プレートの上部に石膏の印象模型を貼り付けた積層構造において、鋸による支台歯の切断作業時に、違和感なく（例えば、分割プレートと支台歯の石膏部分とを一体の物として）、切断することを可能とした。
本発明の請求項４にかかる歯科作業模型の基台は、石膏を使用せず、樹脂で作製することにより、石膏では不可能であったアンダーカット部を嵌着構造である支持基台と分割プレートに設けることが可能で、さらに精密な嵌り具合と、抜き取り時の微妙な感覚を調整することが可能となった。
本発明の請求項７にかかる歯科作業模型の製造方法は、複数の溝が設けられかつ前記溝の間にピンが設けられた分割プレートと前記ピンにはまり合うピン挿入用孔を設けた支持基台を用意し、前記ピン挿入用孔に前記ピンをはめ合わせ、前記分割プレートと前記支持基台を接合することにより基台を形成する第１工程と、前記分割プレートの上に印象模型を接着剤で貼り付ける、第２工程と、前記上部に貼り付けた印象模型の支台歯の両側を前記溝から切り上げる、第３工程と、前記支台歯の両側上部から切り下げる、第４工程とを有することにより、印象模型の基底面に穴を開けて接着剤等でピンを１本１本平行に植立していた作業工程を省き、石膏を型枠等に流し込んで作製していた支持基台の作業工程も省き、分割プレートに印象模型を貼り付けるだけで、支台歯の切断作業に取り掛かることが出来ることから、熟練を要することなく、非常に簡単に、短時間で歯科作業用の印象模型を準備することを可能とした。また、非常に難しかった不正歯列の支台歯の基底面の面積を確実に確保できる。
本発明の請求項８にかかる歯科作業模型の製造方法は、支持基台の側面に傾斜を備え、支持基台の上面が分割プレートの底面より一回り小さい嵌着面を有することで、支持基台と、分割プレートとの嵌着移行部に段差を作ることで支台歯の抜き差ししながらの反復操作を容易にした。
本発明の請求項６にかかる歯科作業模型の製造方法は、支持基台の上面の鋸待機用溝が、分割プレートの完全な切り下ろしの傷をつけないことで支持基台を繰り返し使用できる。
【図面の簡単な説明】
【００１２】
【図１】本発明に係る歯科作業用基台の一例を示す分解斜視図である。
【図２】本発明に係る支持基台を示す斜視図解図である。
【図３】本発明に係る歯科模型の製造方法を示す平面図解図である。
【図４】本発明に係る歯科模型の製造方法を示す正面図である。
【図５】本発明に係る歯科模型の製造方法を示す平面図解図である。
【図６】本発明に係る歯科模型の製造方法を示す正面図である。
【図７Ａ】本発明の方法で切断分離した支台歯を示す平面図である。
【図７Ｂ】本発明の方法で切断分離した支台歯を示す底面図である。
【図７Ｃ】本発明の方法で切断分離した支台歯を示す正面図である。
【図７Ｄ】本発明の方法で切断分離した支台歯を示す背面図である。
【図７Ｅ】本発明の方法で切断分離した支台歯を示す右側面図である。
【図７Ｆ】本発明の方法で切断分離した支台歯を示す左側面図である。
【図８Ａ】支持基台の例を示す斜視図である。
【図８Ｂ】支持基台の例を示す斜視図である。
【図８Ｃ】支持基台の例を示す斜視図である。
【図９Ａ】本発明の実施態様における分割プレートの一例を示す平面図である。
【図９Ｂ】歯科作業の一工程を示す斜視図である。
【図９Ｃ】歯科作業の一工程を示す斜視図である。
【図１０】本発明の歯科模型の嵌合装置の一例を示す分解斜視図解図である。
【図１１】本発明の歯科模型の嵌合装置の支持基台の上面図と鋸準備状態である。
【図１２】本発明の歯科模型の嵌合装置の支持基台及び嵌合台の分解斜視図解図である。
【図１３】本発明の歯科模型の嵌合装置の図１・図２・図３に示す積層実施工程である。
【図１４】本発明の歯科模型の嵌合装置の積層実施の完成図である。
【図１５】本発明の歯科模型の嵌合装置の咬合器への装着実施の一例である。
【図１６】本発明の支持基台からの分割実施例の上面図である。
【図１７】本発明の支持基台からの分割実施例の正面図である。
【図１８】本発明の支台歯分割完了の実施例の正面図である。・
【図１９】本発明の支台歯の上面からの分割実施例の上面図である。
【図２０Ａ】切断した支台歯を示す平面図である。
【図２０Ｂ】切断した支台歯を示す底面図である。
【図２０Ｃ】切断した支台歯を示す正面図である。
【図２０Ｄ】切断した支台歯を示す背面図である。
【図２０Ｅ】切断した支台歯を示す左側面図である。
【図２０Ｆ】切断した支台歯を示す右側面図である。
【図２１】本発明に係る歯科模型の製造方法を示す図解図であり、（Ａ）は底面図解図で、（Ｂ）は平面図解図である。
【図２２】本発明に係る歯科模型の製造方法を示す、図２１図示Ｘ方向の矢視図解図であり、（Ａ）は前半の工程を示し、（Ｂ）は後半の工程を示す図解図である。
【図２３】分割プレートの図解図であり、（Ａ）は平面図解図であり、（Ｂ）は側面図解図である。
【図２４】支持基台の図解図であり、（Ａ）は底面図解図であり、（Ｂ）は横断面図解図である。
【図２５】分割プレート及び支持基台の変形例を示す斜視図解図である。
【図２６Ａ】分割プレート及び支持基台の変形例を示す斜視図解図である。
【図２６Ｂ】図２６Ａ図示変形例の印象模型を固定した分割プレート及び支持基台を合わせた状態における平面図解図である。
【図２７】分割プレートの変形例を示す斜視図解図である。
【図２８】分割プレートの変形例を示す斜視図解図である。
【図２９】分割プレートの変形例を示す斜視図解図である。
【図３０】分割プレート及び支持基台の変形例を示す斜視図解図である。
【図３１】分割プレートの変形例を示す斜視図解図である。
【図３２】分割プレートの変形例を示す斜視図解図である。
【図３３】従来の基台を示す正面図である。
【図３４】従来の製造方法を示す上面図である。
【図３５Ａ】従来の方法で切断した支台歯を示す平面図である。
【図３５Ｂ】従来の方法で切断した支台歯を示す底面図である。
【図３５Ｃ】従来の方法で切断した支台歯を示す正面図である。
【図３５Ｄ】従来の方法で切断した支台歯を示す背面図である。
【図３５Ｅ】従来の方法で切断した支台歯を示す左側面図である。
【図３５Ｆ】従来の方法で切断した支台歯を示す右側面図である。
【符号の説明】
【００１３】
Ａ        不正歯列症例の鋸による下からの支台歯切断ライン
Ｂ        不正歯列症例の鋸による上からの支台歯切断ライン
Ｃ        支台歯，残存歯
Ｃ1       基底面
Ｄ        正常歯列症例の鋸による上からの一工程での切断ライン
Ｅ        ハンドピース
Ｆ        分割プレートの上部頬舌側のエッジの面取り部
Ｌ        樋状凹み
Ｍ        円形のくぼみ
Ｎ        線状の溝
１        印象模型
２        分割プレート
３        支持基台
４        鋸待機用溝
５        鋸誘導用溝
６        ピン挿入用孔
７        補綴物
８        上端
９        石膏専用鋸
１０      回転防止溝
１３      凸条
１４      ピン
１００    嵌合装置
１０１    印象模型
１０２    分割プレート
１０２ｄ  穴
１０２Ｌ  ラインマーク
１０２Ｍ  位置マーク
１０２Ｎ  整理番号
１０２ｒ  凹条
１０３    支持基台
１０３Ｌ  ラインマーク
１０４    鋸待機用溝
１０５    鋸誘導用溝
１０６    ピン挿入用孔
１１４    ピン
１２２    凹部
１３０    上壁
１３１    側壁
１３２    前壁
１３３    後壁
１３４    隔壁
１３５    凹み部
１３６    凸部
１４０    嵌合台
１４２    嵌合凸部
１４４ａ，１４４ｂ  保持用凸部
１４６    接着用凸部
１４８    嵌合挟持部
１６０    分離板
１６２    嵌合孔
１９０    咬合器
１９１    下顎用支承部
１９２    スプリング
１９３ａ，１９３ｂ  支柱
１９４    支持孔
１９５    開放端部
１９６    上顎用支承部
２００    基台
２０１    印象模型
２０２    分割プレート
２０３    支持基台
２０４    鋸待機用溝
２０４ａ  第１の鋸待機用溝
２０４ｂ  第２の鋸待機用溝
２０４ｃ  第３の鋸待機用溝
２０５    鋸誘導用溝
２０５ａ  第１の鋸誘導用溝
２０５ｂ  第２の鋸誘導用溝
２０５ｃ  第３の鋸誘導用溝
２０６    ピン挿入用孔
２０８    上端
２１０    回転防止溝
２１３    凸条
２１４    ピン
２２２    凹部
２３６    凸部
３００    基台
３０１    印象模型
３０２    分割プレート
３０２Ａ  馬蹄型分割プレート
３０２Ｂ  半月型分割プレート
３０３    支持基台
３０３Ａ  歯茎部分
３０３Ｂ  口蓋部分
３０４    鋸待機用溝
３０４ａ  第１鋸待機用溝
３０４ｂ  第２鋸待機用溝
３０４ｃ  第３鋸待機用溝
３０５ａ  第１鋸誘導用溝
３０５ｃ  第３鋸誘導用溝
３０５    鋸誘導用溝
３０６    ピン挿入用孔
３１４    ピン
【発明を実施するための形態】
【００１４】
以下本発明の具体例を詳細に説明する。本発明の第１の実施の形態である歯科作業用模型の基台は、分割プレート２と支持基台３とを備える。分割プレート２及び支持基台３は、２つ以上の歯が同じ方向を向いて略々同列に位置するように円弧状にならぶ、歯並に沿った長さと幅とを備える。この発明の実施の形態の作業模型は、犬歯から奥の方の歯列に対応している。
【００１５】
分割プレート２は、底面に、下部に向けて、互いに平行でかつ一定間隔をおいて、数本のピン１４が植設されているとともに、上記底面の隣り合うピン１４の間に鋸誘導用溝５を設けられている。鋸誘導用溝５は、上部に形成される印象模型１の歯並の列と交差する方向において、すなわち分割プレート２の幅方向において一端から他端に亘って連続して直線状に形成されている。鋸誘導用溝５は、並列された複数の鋸誘導用溝５の間隔が、例えば成人の奥歯の歯の間隔に略々対応した間隔をおいて間欠的に形成されており、石膏専用鋸９の刃を鋸誘導用溝５ののびる方向に誘導できる深さを備えている。分割プレート２の底面に、前記鋸誘導用溝５に直交するように２本の回転防止溝１０が平行に形成されている。
【００１６】
一方、支持基台３は、前記ピン１４と嵌め合わせるためのピン挿入用孔６が設けられているとともに、隣りあうピン挿入用孔６の間の鋸誘導用溝５に対向する位置に鋸待機用溝４が設けられている。
鋸待機用溝４は、分割プレート２と支持基台３とが嵌め合わされたとき、鋸誘導用溝５と向き合い、断面円形の空隙が形成される。
更に、支持基台３は、前記分割プレート２の回転防止溝１０と嵌まり合う２本の凸条１３が形成されている。
ピン１４は、鋸誘導用溝５で分割プレート２が分断されたときに分割された支台歯Ｃの各々にピン１４が存在するように配列され且つ分割プレート２の上面に略々直交して支台歯Ｃより下方に垂直に突設するように形成されている。
【００１７】
分割プレート２のピン１４と回転防止溝１０は、それぞれ、支持基台３のピン挿入用孔６と凸条１３とに嵌め合わされる。このようにして、分割プレート２と支持基台３が一体化される。
このとき、分割プレート２の鋸誘導用溝５と支持基台３の鋸待機用溝４がちょうどそれぞれの溝縁が合わさり、対向するように、鋸誘導用溝５と鋸待機用溝４の位置が定められている。
このとき、分割プレート２と支持基台３の嵌合の強さは、歯科技工作業を行う上で適度な強度を必要とするために、分割プレート２と支持基台３とを異なった材料の合成樹脂で成形した製品であり、一方が硬く一方が柔軟性を有するといったように異なった材料の合成樹脂を選択することによって、前記嵌合の強さを適正な値に調節することが容易となり、ひいては安定した精度の高い歯科補綴物７の作製を可能とする。
【００１８】
分割プレート２の材料としては、比較的細いピン１４が一体成形され且つ鋸誘導用溝５を設けても、全体的に十分な強度が得られるような合成樹脂を用いることが望ましい。そして、分割プレート２は、その上部に図のように印象模型１を貼り付けて使用するものであるため、石膏・タルク・牡蠣の貝殻の粉等、できれば硬度１程度の無機質な素材を３０重量％程度混入することが好ましい。また分割プレート２は、低発泡させた樹脂を射出形成し使用することも可能であって、分割プレート２に石膏の印象模型１を接着剤等で貼り付け、分割プレート２と支持基台１とを一体の物として違和感なく切断できるように構成されている。
【００１９】
分割プレート２は、支持基台３との境界面である分割プレート２の下面に設けたピン１４の各々の間において、長端縁に直交しまた短端縁に平行となるように、前後（歯の表面側の前と歯の内側の後）の両長端縁間に亘って延伸した、幅及び深さが数ミリ程度の鋸誘導用溝５を備えている。
一方、支持基台３は、前記鋸誘導用溝５に対応して、その（支持基台３の）上面のピン挿入用孔６の各々の間において、長端縁に直交しまた短端縁に平行となるように、前後（歯の表面側の前と歯の内側の後）の両長端縁間に亘って延伸した、幅及び深さが数ミリ程度の鋸待機用溝４を設けられている。
ピン１４は、分割プレート２の下面において長端縁及び短端縁と適宜な間隔をおいて、下方向に長くのびており、鋸誘導用溝５は、ピン１４の間において、分割プレート２の下面において、各々適宜な間隔をおいて前後方向に長く連続してのびている。
また、ピン挿入用孔６は、支持基台３の上面側において長端縁及び短端縁と適宜な間隔をおいて、下方向に長くのびており、鋸待機用溝４は、ピン挿入用孔６の間において、支持基台３の上面において、各々適宜な間隔をおいて、前後（歯の表面側の前と歯の内側の後）方向に長く連続してのびている。
石膏専用鋸９を鋸待機用溝４に沿わせて準備し、分割プレート２を積層し、分割プレート２の鋸誘導用溝５へと切り上げる（ラインＡに沿って）ことで、支台歯Ｃの基底面Ｃ1を確実に確保できる分割方法となる。
【００２０】
分割プレート２の下部に設けた鋸誘導用溝５は、鋸誘導用溝５に沿って分割プレート２を切断するときに石膏専用鋸９の歯を最適な方向に誘導するためのものであって、分割プレート２の前後方向にのびるように設けた０．５〜１ミリ程度の浅い切れ込みである。
支持基台３の上部に前記鋸誘導用溝５に対応するように設けられた鋸待機用溝４は、石膏専用鋸９の歯を上向きに待機させ且つ石膏専用鋸９を鋸誘導用溝５に沿って押し且つ引くことができるようにするためのものであって、鋸歯の厚みを基準にして幅１ミリ、深さ１．５〜２ミリ程度とすることが好ましい。
石膏専用鋸９は、歯の部分が細長く糸状となっている糸鋸が用いられる。
【００２１】
基台は、この実施の形態では、分割プレート２と支持基台３としての２部材で構成され、分割プレート２と支持基台３とは、それぞれ合成樹脂で形成されている。分割プレート２は、口腔から採った歯形陰型に石膏を流して作製された印象模型１を接着剤等でその上面に張り付けられるように構成されており、支持基台３に嵌め合わされる。
なお、印象模型1の底面との接着をより強固なものにするために、分割プレート２の上面は、線状のキズ等の多数の細かい凹凸を形成しておくことが好ましい。
【００２２】
歯科作業用模型の基台の準備が完了すると共に、支台歯Ｃを分割する切断工程に入る。
支台歯Ｃの切断準備は、図２のように、前記嵌め合わされた分割プレート２を、支持基台３から抜きとり、支持基台３の上面に設けられた鋸待機用溝４に石膏専用鋸９をその歯を上向きにしてセットする。この状態のまま、石膏専用鋸９を誘導するために設けられた鋸誘導用溝５を有する分割プレート２を、支持基台３に嵌め合わせ、分割プレート２と支持基台３との接合面に形成された鋸待機用溝４と鋸誘導用溝５とに、石膏専用鋸９を挟み込んだ状態で、支台歯Ｃの切断準備は、完了する。
【００２３】
支台歯Ｃの切断工程は、図３に示すラインＡに沿って切断することを想定する。支持基台３の上面に設けた鋸待機用溝４に石膏専用鋸９を前記の如く鋸歯を上向きにセットした状態で、上面に印象模型1を貼り付けられた分割プレート２は、その下部の石膏専用鋸９を誘導するために設けた前記鋸誘導用溝５から、印象模型１の基底面Ｃ1に向けて、垂直上方へラインＡに沿って切り上げられる。
【００２４】
図４は、支台歯Ｃの切断作業工程の前半を示すものである。
支台歯Ｃの切断作業工程の前半は、分割する支台歯Ｃの両隣の隣在歯との間又はそれに近い位置にある２つの鋸待機用溝４を切断するために、上記のように支持基台３の２つの鋸待機用溝４の内一方の鋸待機用溝４にセットされた石膏専用鋸９により、分割プレート２の鋸誘導用溝５から、不正歯列を有する症例の印象模型１の支台歯Ｃの左右両側の基底面Ｃ1に垂直に、支台歯Ｃの両側を左右の鋸待機用溝４と鋸待機用溝４とを互いに平行に切り上げ、その途中で止めるところで終える。
この時の支台歯Ｃの切断面の上端８は、略々同じ高さ位置とする。
上端８は、支台歯Ｃの基底面Ｃ1の面積の確保と歯科技工操作上及び口腔内セット時の微調整のための使用に耐えうるだけの強度確保のためにも、できるだけ上部に来るようにすることが好ましい。
【００２５】
図５は、不正歯列の支台歯Ｃの上部左右から切り下げる後半の切断工程を示す。不正歯列の支台歯Ｃの上部を左右の隣在歯の間から切り下げる後半は、ラインＢに沿って支台歯Ｃの左右両側を切り下げて行く。切り下げた切断面の下端は、上記の前半の工程で切り上げた切断面の上端８と一致させ、両方の切断面がつながるようにする。
【００２６】
このときの支台歯Ｃの左右の幅が極端に広い場合の切断は、図６に示すように、特に石膏専用鋸９の応力及び弾力を利用しながら下に行くほど徐々に幅が広くなるように切断して、下から切り上げた切断面の上端８と一致させるようにする。
【００２７】
以上詳述したように、支台歯Ｃを分割して切り出す切断工程は、分割プレート２側から印象模型１の歯茎部分を構成する石膏部の中間までを切断する前半の工程と、印象模型１の歯並の歯の間の歯茎部分を構成する石膏部の中間までを石膏部の上部から切断する後半の工程との２段階に分かれる。
前半の工程は、支持基台３の上部に設けた鋸待機用溝４に、石膏専用鋸９を図の如く上向きにし鋸待機用溝４に沿ってのびるようにセットして分割プレート２を嵌合させた状態で、図４に示すように鋸誘導用溝５から上方へ接合面に垂直に切り上げる工程である。そして、後半の工程は、図５に示すように支台歯Ｃの上部両側からラインＢに沿って切り下げる工程である。このような２段階に分けたのは、図６に示すように前記２工程により支台歯Ｃを切断すれば、図７Ａから図７Ｆに示すように確実に基底面Ｃ1の面積を確保でき、精度の高い歯科作業ができる支台歯Ｃを製作できるからである。
【００２８】
以下、図７Ａから図７Ｆに基づいて、切断により分離された支台歯Ｃを詳細に説明する。本発明による切断後の支台歯Ｃは、上面図（図７Ａ図示）に示すように、印象模型１の上面の両側（支台歯Ｃの両側の隣在歯側）からの支台歯Ｃの切断後の形状が非常に小さくても、分割プレート２下部の鋸誘導用溝５から切り上げる前半の工程の本発明に係る切断方法により、前記支台歯Ｃの上部の形状とは無関係に、分割プレート２の幅の分（隣接する鋸誘導用溝５と鋸誘導用溝５との間）だけ底面積が確実に確保できる。
【００２９】
前記支台歯Ｃの基底面Ｃ1の前後・左右の幅及び形状を例示する図７Ｂに示すように、本発明による切断方法により切断した支台歯Ｃの基底面Ｃ1は、前記切断方法によって分割プレート２の底面の鋸誘導用溝５から切り上げる支台歯Ｃの基底面Ｃ1の形状を図のように確実に確保できることにより、基底面Ｃ1の面積を確実に確保できる。
図７Ｃ（正面図）、図７Ｄ（背面図）及び図７Ｅ（左側面図）、図７Ｆ（右側面図）に示すように、切断面の上端８の位置は、後面側に比べて前面側が低くなり、前面側と後面側とをつなぐ切断面の境界線は、斜めの線になる。
【００３０】
上述した実施の形態では、分割プレート２として下部に平行な数本のピン１４を設け一体化されているので、従来のように印象模型１の底面穴を開け、一本一本平行にピン１４をその底面穴に植立する工程が不要になり、簡単な工程のみで歯科作業用模型を完成でき、複雑な歯科技工用作業模型製作の工程及び作業時間を削減することを可能とする。
【００３１】
支持基台３の形状は、図８Ａから図８Ｃに示すように、（歯科技工士の）補綴物７作製時に握り易く、疲れにくく、操作性が向上するように、様々な工夫を施すことができる。たとえば、図８Ａ記載例の支持基台３は、支持基台３の周りに樋状の凹みＬを形成されている。図８Ｂの記載例の支持基台３は、指先に合わせた円形のくぼみ凹みＭを設けられている。図８Ｃの記載例の支持基台３は、滑りにくくするために、多数の線状の溝Ｎを形成されている。
【００３２】
図９Ａは、分割プレート２の別の実施の形態を示すもので、この分割プレート２は、その前後のエッジの部分に面取り部Ｆを形成している。面取り部Ｆは、ハンドピース等により支台歯Ｃのトリミング作業時に分割プレート２の上部の前端及び後端のエッジが障害となっていたため、操作性を考慮して、分割プレート２の上部の前端及び後端の両側のエッジの部分に、設けることが好ましい。面取り部Ｆは、記載の形状に限らないが、１〜２ミリ程度の面取りの巾と高さの範囲が好ましい。
【００３３】
図９Ｂは、この面取り部Ｆの意義を説明する図である。
図９Ｂのように、ハンドピースＥ等により支台歯Ｃのトリミング作業を行う際、分割プレート２の上部の前端及び後端のエッジ部は、障害となっていたが、分割プレート２の前端及び後端のエッジ部分に面取り部Ｆを形成することにより、トリミング作業を障害無く行える。
【００３４】
図９Ｃは、本発明の基台を用いて歯科用の補綴物７を作製する工程の一部を示す図である。
歯科作業用基台の分割プレート２に貼り付けた印象模型１の支台歯Ｃを前記前半及び後半の２つの工程による切断によって、歯科技工用模型を完成させた後、手順としては、前記支台歯Ｃ上で蝋によるワックス等で盛り上げ、それに彫刻を施して、補綴物７の模型を作る。次に、これを金属鋳造のために鋳造リングに埋没させ、鋳込みを行い、研磨して仕上げた復元補綴物７を完成させた後、支台歯Ｃにセットすることにより補綴物７の作製工程は終了する。
【００３５】
本発明は、図３３に記載の各歯の並びに凹凸の少ない正常歯列の症例の支台歯Ｃを歯列が描く曲線（ラインＤ）に沿って、印象模型１の上部より１工程で切断することにも十分適応できる。
また、分割プレート２と支持基台３とは、合成樹脂製にしたことにより、分割プレート２と支持基台３の両者の嵌合の精度が良い。さらに、支持基台３は、鋸待機用溝４を設けることにより、支持基台３に傷をつけずに使用できることから、作業ごとに分割プレート２を交換するだけで、支持基台３自体を何度も使用できるようになった。
【００３６】
本発明にかかる基台は、分割プレート２と支持基台３に合成樹脂を使用することで、分割プレート２の上部に貼り付けた石膏で作製された印象模型１（二水石膏）を、細かく（微細に）粉砕し前記合成樹脂に混入させることが可能となる。そして、本発明にかかる基台は、石膏廃棄ゴミを出さず、全てをリサイクル可能とすることを実現した。
【００３７】
[実施例１]
分割プレート２は、主として合成樹脂で作製する。この実施例では、ポリスチレン樹脂に、石膏を３０〜４０重量％程度混入させ、有機系発泡剤としてアゾジカルボンアミド（ＡＤＣＡ）のセルマイク（ＣＥ）を０．７重量％の割合で添加し、あらかじめ分散させた混合物を射出成形機内で溶融混練（２００〜２１０℃）させた後、低発泡の射出形成にて作製する。分割プレート２の成形時に混入する石膏（半水石膏＝焼石膏とも呼ばれる、硫酸カルシウム・１／２水和物）は、前記分割プレート２上部に、石膏で作製された印象模型１を貼り付けて行う歯科作業工程において、違和感なく分割プレート２と印象模型１とを一体のものとして石膏専用鋸９で切断し易くするために混入するものである。
支持基台３は、ポリスチレン樹脂を射出成形機内で溶融混練させた後、射出成形にて作製される。支持基台３は、前記した分割プレート２と前記支持基台３とを嵌め合わせて利用する歯科技工作業工程において、適度な嵌合の調節を必要とすることから、前記分割プレート２と異なった材料を利用することが望ましく、石膏等の混入物を含まない合成樹脂で形成した。
支持基台３の材料としては、前記分割プレートとは異なった材料の樹脂を用いることで、支持基台と前記分割プレート（ピン部分及び回転防止溝部分とによる）との適度な嵌合の調節を可能としたことにより、何度も分割プレートを抜き差ししながらの歯科技工作業工程における精度の安定が非常に良いことから、極めて精度の高い補綴物７を作製できる。
【００３８】
上記の実施例において、分割プレート２は、合成樹脂に石膏を混入させて使用したが、分割プレート２は、石膏の代わりに、タルク・貝殻の粉末等、硬度１程度の無機質素材を混入させることが可能である。
【００３９】
また、上記実施例では、分割プレート２と支持基台３との嵌合の調整を重視することから、支持基台３は、混入物なしの、ポリスチレン樹脂を発泡させずに使用したが、必ずしも発泡させてはならないわけではなく、支持基台３を低発泡させることも可能である。この場合、発泡剤としては、ポリスチレン系樹脂の発泡剤として公知の物理発泡剤または化学発泡剤の中から適宜選択して使用することが可能である。ただし、発泡率を上げると精密度が低下するため、低発泡に留めることが好ましい。
【００４０】
[実施例２]
実施例１の分割プレート２の石膏に代えて、分割プレート２は、木材の粉（おがくず）を３０〜４０重量％程度混入したものを用い、成形されている。
石膏の印象模型１を貼り付けた分割プレート２は、違和感なく石膏専用鋸９で切断する目的で合成樹脂に無機質な素材を混入させることが適しているが、それに似た感覚で、歯科作業模型の操作過程で発生するよごれ等を気にしなければ、木材の粉（おがくず）等の有機素材を３０〜５０重量％程度まで混入し、無機質な素材の代替とすることも可能である。この場合は、無機質素材を混入したとき程の、切断時の感覚は求められない。
また、木材の粉（おがくず）等の有機素材と無機質な素材とを合わせて、合成樹脂に混入させると、石膏専用鋸９による分割プレート２の切断時の感覚は、なめらかに切り進むことができる感覚となる。
【００４１】
次に、本発明の別の実施の形態について、図１０ないし図１９に基づいて説明する。ただし、以下に示す実施の形態は、本発明の技術思想を具体化するための歯科模型の嵌合装置１００を例示するものであって、本発明は、歯科模型の嵌合装置１００を以下のものに特定しない。
【００４２】
図１０に示す歯科模型の嵌合装置１００は、支持基台１０３と、支持基台１０３の定位置に脱着できるように連結する複数のピン１１４を一塊のものとして下部に有する樹脂製の分割プレート１０２と、前記分割プレート１０２に固定してなる印象模型１０１とを備える。
【００４３】
複数のピン１１４は、分割プレート１０２の底面に、垂直にまた各々が平行に、下方に延伸する形状で、楕円柱状、すなわち底面が楕円で底面と側面がなす角が９０度でなく先端に至る程全体が徐々に細くなる、テーパー状の斜柱体である。ピン１１４は、成形型により一塊で射出成形されて、分割プレート１０２と一体的に形成されている。
分割プレート１０２は、支持基台１０３にピン１１４によって定位置に連結してなる積層構造となるように形成され、支持基台１０３より一回り大きく形成され、支持基台１０３の上面より外方に突き出るように構成されている。
ピン１１４は、印象模型１０１の歯部分に相当する位置に形成されている。
【００４４】
歯科模型の嵌合装置１００の支持基台１０３は、全体が截頭四角錐型で、その中は空洞部を有し、上面が略平面状であり、上面の上方からピン１１４を抜き差しできるように挿入するピン挿入用孔１０６を備えた形状である。
支持基台１０３は、上壁１３０と側壁１３１とを備え、側壁１３１を構成する前壁１３２と後壁１３３との間にピン挿入用孔１０６の周辺においてピン挿入用孔１０６を囲むように前壁１３２と後壁１３３とに跨って形成された複数の隔壁１３４を備える。複数の隔壁１３４は、ピン１１４の挿入部を構成しており、ピン挿入用孔１０６の配列に対応して適宜な間隔をおいて間欠的に形成されている。
複数の隔壁１３４の間の凹み部１３５は、断面長方形であり、支持基台１０３の底面の開口部より上壁１３０に向けて開口されており、凹み部１３５には、後述する嵌合台１４０の嵌合凸部１４２が嵌合される。
ピン挿入用孔１０６は、ピン１１４の断面形状に対応した平面視楕円形の開口部を上壁１３０に備え、上壁１３０の開口部より下方に向けて開口されており、下方に向かうに従って徐々に狭くなるテーパー状である。
支持基台１０３は、上壁１３０と側壁１３１と内部の隔壁１３４とが合成樹脂によって成形型により射出成形されている。
【００４５】
分割プレート１０２は、支持基台１０３との境界面である分割プレート１０２の下面に設けたピン１１４の各々の間において、長端縁に直交しまた短端縁に平行となるように、前後（歯の表面側の前と歯の内側の後）の両長端縁間に亘って延伸した、幅及び深さが数ミリ程度の鋸誘導用溝１０５を備えている。
一方、支持基台１０３は、前記鋸誘導用溝１０５に対応して、その（支持基台１０３の）上面のピン挿入用孔１０６の各々の間において、長端縁に直交しまた短端縁に平行となるように、前後（歯の表面側の前と歯の内側の後）の両長端縁間に亘って延伸した、幅及び深さが数ミリ程度の鋸待機用溝１０４を設けられている。
ピン１１４は、分割プレート１０２の下面において長端縁と直交（または斜交）するように、前後（歯の表面側の前と歯の内側の後）方向に長くのびており、鋸誘導用溝１０５は、ピン１１４の間において、分割プレート１０２の下面において長端縁と適宜な間隔をおいて前後方向に長く連続してのびている。
また、ピン挿入用孔１０６は、支持基台１０３の上面において長端縁と直交（または斜交）するように、前後（歯の表面側の前と歯の内側の後）方向に長くのびており、鋸待機用溝１０４は、ピン挿入用孔１０６の間において、支持基台１０３の上面において長端縁と適宜な間隔をおいて、前後（歯の表面側の前と歯の内側の後）方向に長く連続してのびている。
石膏専用鋸９を鋸待機用溝１０４に沿わせて準備し、分割プレート１０２を積層し、分割プレート１０２の鋸誘導用溝１０５へと切り上げる（ラインＡに沿って）ことで、支台歯Ｃの基底面Ｃ1を確実に確保できる分割方法となる。
【００４６】
支持基台１０３は、側面に傾斜を備え、支持基台１０３の上面は分割プレート１０２の底面より一回り小さい接合面を有する。分割プレート１０２と支持基台１０３とに段差を付加したのは、ピン１１４を抜き差しできるように挿入するピン挿入用孔１０６にピン１１４を挿入した、支持基台１０３と分割プレート１０２とを積層した構造としたり、嵌合状態にありながらも、分離板１６０を真上に抜く及び真下に差し込む反復操作を何度も繰り返しながらの技工作業をできるといったように、その操作性を考慮したものである。
【００４７】
支持基台１０３と分割プレート１０２とは、無機質素材を混入した合成樹脂で成形してなる。この実施の形態においては、無機質素材の中でも石膏を３５重量％前後含む樹脂と、炭酸カルシウムを３５重量％前後含むスチレン樹脂との相性は、強度的にも非常に良い。
特に、固定してなる印象模型１０１と分割プレート１０２とを違和感無く分割できるように、分割プレート１０２は、石膏を含む又は石膏に準じた無機質素材を含むその他の樹脂で作製することが好ましい。
また、低発泡に抑えれば無機質素材を混入して発泡樹脂も使用できる。無機質素材を混入することにより、分割プレート１０２は、合成樹脂でありながら、技工操作上、分割プレート１０２及び印象模型１０１の分割の際に起こる摩擦による静電気の帯電防止の効果を奏する。
但し、凸部１３６のアンダーカット面と凹み部の傾斜の嵌合の具合の調整を考慮すると、この組み合わせに限定するわけではない。
【００４８】
支持基台１０３は、その側壁１３１の下部に嵌合台１４０が固定される。
嵌合台１４０は、支持基台１０３の底面より一回り大きな上面を持つ、平面視長方形の板状であり、嵌合台１４０は、支持基台１０３の底面に固定するために、支持基台１０３のピン１１４の挿入部を構成する隔壁１３４の各々の間の数箇所の凹み部１３５に嵌合させる柱状の嵌合凸部１４２を備えている。
嵌合凸部１４２は、前後方向にのびる角柱状凸部が、適宜な間隔をおいて並列する櫛歯状である。
嵌合台１４０は、その底面の両端に設けられ、前後の短端の両端まで延伸された下駄状の２つの保持用凸部１４４ａ及び保持用凸部１４４ｂ部分を備え、その下面中央には、円柱状の接着用凸部１４６を備える。そして、嵌合台１４０は、左右に分離された保持用凸部１４４ａと保持用凸部１４４ｂとの間に嵌合され且つ接着用凸部１４６に嵌合される、柔軟性のある材質の分離板１６０によって積層構造となるように構成されている。
【００４９】
嵌合台１４０は、支持基台１０３のピン１１４の挿入部の間の数箇所の隔壁１３４に、精密に一定の長さで嵌合させる数本の柱状の嵌合凸部１４２を突出形成されている。
嵌合台１４０は、上面の四隅に、支持基台１０３の四隅部を嵌合して支持基台１０３を密に固定させるための嵌合挟持部１４８を上方に向けて突設されて形成されている。嵌合挟持部１４８は、弾力性を有している。
嵌合台１４０は、支持基台１０３の底面より一回り大きな上面を備えることで、咬合器１９０への装着と取り外し操作をするときにおいて、真直ぐ差し込む、及び真直ぐ引き抜くだけの簡略な反復操作で行うことができるように構成されている。
【００５０】
分離板１６０は、平面視方形状で、嵌合台１４０の２つの保持用凸部１４４ａ及び保持用凸部１４４ｂの高さと同じ厚さを有しており、その中央には嵌合孔１６２が穿設されている。
分離板１６０は、比較的軟質なゴム等で成形されている。
分離板１６０は、樹脂製またはゴム製等の柔軟性のある材質で作製することで、柔軟性を持たせることが可能である。
【００５１】
柔軟性のある材質の分離板１６０は、歯科模型の咬合器１９０との装着時の石膏の使用量を最小量に抑えることができる。また、分離板１６０に柔軟性を持たせたことで補綴物７の製作後に歯科模型を咬合器１９０から取り外す作業において、石膏での装着部分は、嵌合台１４０の底面中央に設けた柱状の接着用凸部１４６と接着されているが、密に嵌合させてある柔軟性のある材質の分離板１６０を介在させて咬合器１９０に装着させているために、柔軟性のある材質の分離板１６０を手等で外すことによって、咬合器１９０から嵌合台１４０を取り外すことを素早く簡略に行なえる。
【００５２】
この嵌合装置１００は、歯科技工において、歯列の印象模型１０１を固定する咬合器１９０に固定して用いられる。
咬合器１９０は、歯科技工において、歯列の印象模型１０１を固定する咬合器１９０として、従来から各種の咬合器１９０が使用されているが、そのうち広く利用されているものに、南加大型といわれる咬合器１９０がある。
この咬合器１９０は、図１５に示すように、金属線材を幅広のＵ字状に折曲してなる下顎用支承部１９１の開放側をそれぞれ垂直上方に折曲すると共に中間部にスプリング１９２を介在させて支柱１９３ａ，支柱１９３ｂとし、その上端に支持孔１９４を設け、該支持孔１９４に上記下顎用支承部１９１とほぼ同じＵ字状で開放端部１９５を僅かに折曲させた上顎用支承部１９６を回動自在に取り付けたもので、全体として左右対称に構成している。
【００５３】
この咬合器１９０は、一般に、インレー・クラウンやクラウンブリッジなどの部分的な補綴物７の作製に使用するもので、上下両支承部に固定する印象模型１０１としては、歯列の全体についても、また、片側のみについても使用できる。
義歯作製等のその他の義歯用の咬合器への装着に際しては、上下顎の印象模型１０１の舌及び口蓋部分にも、図２３に示すように、分割プレート１０２の下部にピン１１４を施すことで、全顎歯列の症例について使用できる。
【００５４】
次に、この咬合器１９０を使用し、印象模型１０１を固定する方法について説明する。
まず、嵌合装置１００の嵌合台１４０及び分離板１６０を下顎用支承部１９１を覆うようにして固定し、下顎用支承部１９１を石膏で覆い嵌合台１４０及び分離板１６０に接着して石膏で固めて、嵌合台１４０及び分離板１６０を下顎用支承部１９１に固定する。
嵌合装置１００を上顎用支承部１９６に固定するときも同様である。
【００５５】  歯列模型側から支台歯Ｃを分割する分割方法について、次に説明する。  分割方法としては、分割プレート１０２を支持基台１０３の定位置に配置する、第1工程と、分割プレート１０２に印象模型１０１を接着剤で固定する、第２工程と、第２工程の後、咬合器１９０に嵌合台１４０及び分離板１６０部位で嵌合装置１００を固定した後に、支台歯Ｃの両側において分割プレート１０２の鋸誘導用溝１０５を通る面で分割する、第３工程とを有する。  更に、支持基台１０３の鋸待機用溝１０４に石膏専用鋸９を準備し、印象模型１０１の支台歯Ｃの両側をめがけて、分割プレート１０２の鋸誘導用溝１０５から歯頸部付近まで基底面Ｃ1に対して垂直に切り上げる、第３工程と、印象模型１０１の支台歯の両側上部から第３工程の分割移行部まで切り下げて前記第３工程で切り上げられた切断部分と接続する、第４工程とを有する。
【００５６】  第１工程は、歯科模型の嵌合装置の支持基台１０３と分割プレート１０２とを積層する状態とするために、互いに嵌合させる工程である。  支持基台１０３は、ピン挿入用孔１０６を設けられており、ピン挿入用孔１０６に、分割プレート１０２の下部に一塊で設けたピン１１４を挿入するために、定位置に連結することができる。  その分割プレート１０２を支持基台１０３の上面の定位置に、何度も分割プレート１０２を抜き差ししながらの技工作業中に定位置に配置するために、支持基台１０３は、その上面に鋸待機用溝１０４の間であってピン挿入用孔１０６の近傍の両脇に凸部１３６を備えており、凸部１３６は、浮き上がり無く精密に嵌合させる調節面として、その下方にアンダーカット面を付与されている。  分割プレート１０２は、底面に鋸誘導用溝１０５の間であってピン１１４の近傍の両脇に凹部１２２を備え、凹部１２２は、支持基台１０３の上面の凸部１３６のアンダーカット面に対応するテーパー（傾斜）を、凹部１２２の底面近傍に付与されている。  更に、樹脂製の分割プレート１０２の底面と支持基台１０３との何れかに設けた凸部１３６は、アンダーカットを設けられており、一方、凹部１２２は、前記凸部１３６に対応するテーパー（傾斜）を設けられ、さらに、支持基台１０３と分割プレート１０２との硬さ（強度）を変えることで、精密に嵌合するように構成されている。  したがって、第１工程において、分割プレート１０２と支持基台１０３とは、所期の目的どおり、嵌合させて、積層構造にできる。
【００５７】
第２工程は、分割プレート１０２の上面に、石膏で成形された歯型を含む歯列模型である印象模型１０１を載置し固定する工程である。
印象模型１０１は、歯型とは反対側の基底面Ｃ1は、略々平面に成形されており、分割プレート１０２の平面状の上面に密着固定される。
【００５８】
第３工程は、前記第１の実施の形態と同様である。
【００５９】
次に、この発明にかかる第３の実施の形態である義歯用の歯科作業模型の基台について、図２１ないし図２４に基づいて説明する。
有床義歯及び局部床義歯は、口腔外で製作されるため、口腔内の状態を正確な模型として再現する必要がある。
そのために、正確な印象が必要であり、正確な石膏模型が必要である。
副模型がなければ患者の口腔内にて義歯の試適をすることになるが、その折の診察室でのチェアータイムの増加傾向の時間が問題である。
残った副模型にて残存歯に対して、クラスプ、バー及び粘膜部の適合状態のチェックをし、舌側部、口蓋部及び顎底部の義歯の適合状態のすべてを確認することができれば、極めて便利である。
この実施の形態の基台によれば、義歯の適合状態を確認するときに、残存歯を確認しながら歯科用の鋸切りで切断でき、舌側部、口蓋部及び顎底部のデンチャーの適合状態を確認するときに便利である。
そのとき、残存歯部、舌側部、口蓋部及び顎底部に、ピン、支持部及び維持部があれば、石膏副模型を自由に切断して分割することができ、その分割プランを自由に選択することが可能である。
口腔内での義歯の装着方向の確認、適合性のチェック及び咬合状態のチェックが、残存歯部を切断及び分割ができることによって、副模型を傷つけずに、行うことができる。
【００６０】
本発明の第３の実施の形態である歯科作業用模型の基台２００は、分割プレート２０２と支持基台２０３とを備える。分割プレート２０２及び支持基台２０３は、印象模型２０１の形状に対応しており、印象模型２０１より大きく、２つ以上の歯が同じ方向を向いて略々同列に位置するように円弧状にならぶ、歯並、歯茎及び上顎部に沿った長さと幅とを備える。この発明の実施の形態の作業模型は、略々方形か周囲が円弧状のおにぎり型をしている。
【００６１】
分割プレート２０２は、底面に、下部に向けて、互いに平行でかつ一定間隔をおいて、数本のピン２１４が植設されているとともに、上記底面の隣り合うピン２１４の間に鋸誘導用溝２０５を設けられている。
【００６２】
ピン２１４は、印象模型２０１の歯の部分に相当する位置に配列され且つ上顎部部分に亘って、適宜な間隔をおいて不規則に配列されている。ピン２１４は、鋸誘導用溝２０５で分割プレート２０２が分断されたときに分割された支台歯Ｃの各々にピン２１４が存在するように配列され且つ分割プレート２０２の上面に略々直交して支台歯Ｃより下方に垂直に突設するように形成されている。
【００６３】
鋸誘導用溝２０５は、上部に形成される印象模型２０１の歯並の列と交差する方向において、すなわち分割プレート２０２の幅方向において一端から他端に亘って連続して直線状に形成されている。鋸誘導用溝２０５は、並列された複数の鋸誘導用溝２０５の間隔が、例えば成人の奥歯の歯の間隔に略々対応した間隔をおいて間欠的に形成されており、石膏専用鋸９の刃を鋸誘導用溝２０５ののびる方向に誘導できる深さを備えている。
【００６４】
分割プレート２０２は、支持基台２０３との境界面である分割プレート２０２の下面に設けたピン２１４の各々の間において、前後の端縁（前歯側の前端縁及び奥歯側の後端縁）に斜交しまた左右の端縁に斜交するように、前後の端縁の間及び前後の端縁と左右の端縁との間に亘って延伸した、幅及び深さが数ミリ程度の第１の鋸誘導用溝２０５ａ，第２の鋸誘導用溝２０５ｂ及び第３の鋸誘導用溝２０５ｃを備えている。
一方、支持基台２０３は、前記第１の鋸誘導用溝２０５ａ，第２の鋸誘導用溝２０５ｂ及び第３の鋸誘導用溝２０５ｃに対応して、その（支持基台２０３の）上面のピン挿入用孔２０６の各々の間において、前後の端縁（前歯側の前端縁及び奥歯側の後端縁）に斜交しまた左右の端縁に斜交するように、前後の端縁の間及び前後の端縁と左右の端縁との間に亘って延伸した、幅及び深さが数ミリ程度の第１の鋸待機用溝２０４ａ，第２の鋸待機用溝２０４ｂ及び第３の鋸待機用溝２０４ｃを設けられている。
第１の鋸誘導用溝２０５ａは、右端縁と後端縁との間及び左端縁と前端縁との間において、略々各歯部の間に位置するように、右上がりの斜線状である。
第２の鋸誘導用溝２０５ｂは、左端縁と後端縁との間及び右端縁と前端縁との間において、略々各歯部の間に位置するように、左上がりの斜線状である。
第３の鋸誘導用溝２０５ｃは、前端縁と後端縁との間において、前歯部と口蓋部との間に跨るように、形状されている。
第１の鋸誘導用溝２０４ａは、右端縁と後端縁との間及び左端縁と前端縁との間において、略々各歯部の間に位置するように、右上がりの斜線状である。
第２の鋸誘導用溝２０４ｂは、左端縁と後端縁との間及び右端縁と前端縁との間において、略々各歯部の間に位置するように、左上がりの斜線状である。
第３の鋸誘導用溝２０４ｃは、前端縁と後端縁との間において、前歯部と口蓋部との間に跨るように、形状されている。
【００６５】
ピン２１４は、分割プレート２０２の下面に、歯茎部分の歯の位置及び口蓋部において適宜な間隔をおいて形成され、第１の鋸誘導用溝２０５ａ，第２の鋸誘導用溝２０５ｂ及び第３の鋸誘導用溝２０５ｃは、分割プレート２０２の下面、ピン２１４の間において、各々適宜な間隔をおいて交差するように、前後及び左右方向に長く連続してのびている。
また、ピン挿入用孔２０６は、支持基台２０３の上面側に、歯茎部分の歯の位置及び口蓋部において適宜な間隔をおいて形成され、第１の鋸待機用溝２０４ａ，第２の鋸待機用溝２０４ｂ及び第３の鋸待機用溝２０４ｃは、支持基台２０３の上面において、ピン挿入用孔２０６の間において、前記ピン２１４の位置と対応して各々適宜な間隔をおいて交差するように、前後及び左右方向に長く連続してのびている。
石膏専用鋸９を第１の鋸待機用溝２０４ａ，第２の鋸待機用溝２０４ｂ及び第３の鋸待機用溝２０４ｃに沿わせて準備し、分割プレート２０２を積層し、分割プレート２０２の第１の鋸誘導用溝２０５ａ，第２の鋸誘導用溝２０５ｂ及び第３の鋸誘導用溝２０５ｃへと切り上げる（ラインＡに沿って）ことで、支台歯Ｃの基底面Ｃ1を確実に確保できる分割方法となる。
【００６６】
分割プレート２０２の底面に、前記鋸誘導用溝２０５に交差するように、前と後とに分かれて２本の回転防止溝２１０が平行に形成されている。
【００６７】
一方、支持基台２０３は、前記ピン２１４を嵌め合わせるためのピン挿入用孔２０６が設けられているとともに、隣りあうピン挿入用孔２０６の間の鋸誘導用溝２０５に対向する位置に鋸待機用溝２０４が設けられている。
鋸待機用溝２０４は、分割プレート２０２と支持基台２０３とが嵌め合わされたとき、鋸誘導用溝２０５と向き合い、断面円形の空隙が形成される。
更に、支持基台２０３は、前記分割プレート２０２の回転防止溝２１０と嵌まり合う２本の凸条２１３が形成されている。
【００６８】
分割プレート２０２のピン２１４と回転防止溝２１０は、それぞれ、支持基台２０３のピン挿入用孔２０６と凸条２１３とに嵌め合わされる。このようにして、分割プレート２０２と支持基台２０３が一体化される。
このとき、分割プレート２０２の鋸誘導用溝２０５と支持基台２０３の鋸待機用溝２０４とは、ちょうどそれぞれの溝縁が合わさり、対向するように、鋸誘導用溝２０５と鋸待機用溝２０４の位置が定められている。
このとき、分割プレート２０２と支持基台２０３の嵌合の強さは、歯科技工作業を行う上で適度な強度を必要とするために、分割プレート２０２と支持基台２０３とを異なった材料の合成樹脂で成形した製品であり、異なった材料の合成樹脂を選択することによって、前記嵌合の強さを適正な値に調節することが容易となり、ひいては安定した精度の高い歯科補綴物７の作製を可能とする。
【００６９】
その分割プレート２０２を支持基台２０３の上面の定位置に、何度も分割プレート２０２を抜き差ししながらの技工作業中に定位置に配置するために、支持基台２０３は、その上面に鋸待機用溝２０４の間であってピン挿入用孔２０６の近傍に凸部２３６を備えており、凸部２３６は、浮き上がり無く精密に嵌合させる調節面として、その下方にアンダーカット面を付与されている。
分割プレート２０２は、底面に鋸誘導用溝２０５の間であってピン２１４の近傍に凹部２２２を備え、凹部２２２は、支持基台２０３の上面凸部２３６のアンダーカット面に対応するテーパー（傾斜）を、凹部２２２の底面近傍に付与されている。
更に、樹脂製の分割プレート２０２の底面と支持基台２０３との何れかに設けた凸部２３６は、アンダーカットを設けられており、一方、凹部２２２は、前記凸部２３６に対応するテーパー（傾斜）を設けられ、さらに、支持基台２０３と分割プレート２０２との硬さ（強度）を変えることで、精密に嵌合するように構成されている。
したがって、第１工程において、分割プレート２０２と支持基台２０３とは、所期の目的どおり、嵌合させて、積層構造にできる。
【００７０】
歯科作業用模型の基台の準備が完了すると共に支台歯Ｃを分割する切断工程に入る。
支台歯Ｃの切断準備は、図２１〜図２４のように、前記嵌め合わされた分割プレート２０２を、支持基台２０３から抜きとり、支持基台２０３の上面に設けられた鋸待機用溝２０４に石膏専用鋸９をその歯を上向きにしてセットする。この状態のまま、石膏専用鋸９を誘導するために設けられた鋸誘導用溝２０５を有する分割プレート２０２を、支持基台２０３に嵌め合わせ、分割プレート２０２と支持基台２０３との接合面に形成された鋸待機用溝２０４と鋸誘導用溝２０５とに、石膏専用鋸９を挟み込んだ状態で、支台歯Ｃの切断準備が完了する。
【００７１】
支台歯Ｃの切断工程は、図２１〜図２４に示すラインＡに沿って切断することを想定する。支持基台２０３の上面に設けた鋸待機用溝２０４に石膏専用鋸９を前記の如く鋸歯を上向きにセットした状態で、上面に印象模型２０１を貼り付けられた分割プレート２０２は、その下部の石膏専用鋸９を誘導するために設けた前記鋸誘導用溝２０５から、印象模型２０１の基底面Ｃ1に向けて、垂直上方へラインＡに沿って切り上げられる。
【００７２】
支台歯Ｃの切断作業工程の前半は、図２２（Ａ）に示すように、分割する支台歯Ｃの両隣の隣在歯との間又はそれに近い位置にある２つの鋸待機用溝２０４を切断するために、上記のように支持基台２０３の２つの鋸待機用溝２０４の内一方の鋸待機用溝２０４にセットされた石膏専用鋸９により、分割プレート２０２の鋸誘導用溝２０５から、印象模型２０１のクラスプを掛ける残存歯Ｃの左右両側の基底面Ｃ1に垂直に、残存歯Ｃの両側を左右の鋸待機用溝２０４と鋸待機用溝２０４とを互いに平行に切り上げ、その途中で止めるところで終える。
この時の残存歯Ｃの切断面の上端２０８は、略々同じ高さ位置とする。
上端２０８は、残存歯Ｃの基底面Ｃ1の面積の確保と歯科技工操作上及び口腔内セット時の微調整のための使用に耐えうるだけの強度確保のためにも、できるだけ上部に来るようにすることが好ましい。
【００７３】
不正歯列の残存歯Ｃの上部を左右の隣在歯の間から切り下げる後半の切断工程は、図２２（Ｂ）に示すように、ラインＢに沿って残存歯Ｃの左右両側を切り下げて行く。切り下げた切断面の下端は、上記の前半の工程で切り上げた切断面の上端２０８と一致させ、両方の切断面がつながるようにする。
【００７４】
このときの残存歯Ｃの左右の幅が極端に広い場合には、図２２（Ｂ）に示すように、特に石膏専用鋸９の応力及び弾力を利用しながら下に行くほど徐々に幅が広くなるように切断して、下から切り上げた切断面の上端２０８と一致させるようにする。
【００７５】
以上詳述したように、支台歯Ｃ又は残存歯Ｃを分割して切り出す切断工程は、分割プレート２０２側から印象模型２０１の歯茎部分を構成する石膏部の中間までを切断する前半の工程と、印象模型２０１の歯並の歯の間の歯茎部分を構成する石膏部の中間までを石膏部の上部から切断する後半の工程との２段階に分かれる。
前半の工程は、支持基台２０３の上部に設けた鋸待機用溝２０４に、石膏専用鋸９を図の如く上向きにし鋸待機用溝２０４に沿ってのびるようにセットして分割プレート２０２を嵌合させた状態で、図２２（Ａ）に示すように鋸誘導用溝２０５から上方へ接合面に垂直に切り上げる工程である。そして、後半の工程は、図２２（Ｂ）に示すように支台歯Ｃの上部両側からラインＢに沿って切り下げる工程である。
このような２段階に分けたのは、前記２工程により支台歯Ｃを切断すれば、確実に基底面Ｃ1の面積を確保でき、精度の高い歯科作業ができる支台歯Ｃを製作できるからである。
【００７６】
本発明による捻転歯や不正歯列の状態にある支台歯Ｃは、印象模型２０１の上面の両側（支台歯Ｃの両側の隣在歯側）からの支台歯Ｃの切断後の形状が非常に小さくても、分割プレート２０２下部の鋸誘導用溝２０５から切り上げる前半の工程の本発明に係る切断方法により、前記支台歯Ｃの上部の形状とは無関係に、分割プレート２０２の幅の分（隣接する鋸誘導用溝２０５と鋸誘導用溝２０５との間）だけ底面積が確実に確保できる。
そのとき、残存歯部、舌側部、口蓋部及び顎底部に、ピン、支持部及び維持部があれば、口腔内での義歯の装着方向の確認、適合性のチェック及び咬合状態のチェックが、義歯の歯部、歯茎部及び口蓋部など人の口腔内の装着部位と真空状態により密着するように、容易に確実にすることができる。
【００７７】
この発明にかかる義歯用の歯科作業模型の基台は、前記実施の形態に限らず、種々変更することができる。変形例について、図２５ないし図２６に基づいて説明する。
【００７８】
変形例たる歯科作業用模型の基台３００は、分割プレート３０２と支持基台３０３とを備える。分割プレート３０２及び支持基台３０３は、印象模型３０１の形状に対応しており、印象模型３０１より大きく、２つ以上の歯が同じ方向を向いて略々同列に位置するように円弧状にならぶ、歯並、歯茎及び上顎部に沿った長さと幅とを備える。変形例たる作業模型は、周囲が円弧状の半月型をしている。
【００７９】
分割プレート３０２は、底面に、下部に向けて、互いに平行でかつ一定間隔をおいて、数本のピン３１４が植設されているとともに、上記底面の隣り合うピン３１４の間に鋸誘導用溝３０５を設けられている。
【００８０】
ピン３１４は、印象模型３０１の歯の部分に相当する位置に配列され且つ上顎部部分に亘って、適宜な間隔をおいて不規則に配列されている。ピン３１４は、鋸誘導用溝３０５で分割プレート３０２が分断されたときに分割された支台歯Ｃの各々にピン３１４が存在するように配列され且つ分割プレート３０２の上面に略々直交して支台歯Ｃより下方に垂直に突設するように形成されている。
【００８１】
鋸誘導用溝３０５は、上部に形成される印象模型３０１の歯並の列と交差する方向において、すなわち分割プレート３０２の幅方向において一端から他端に亘って連続して直線状に形成されている。鋸誘導用溝３０５は、並列された複数の鋸誘導用溝３０５の間隔が、例えば成人の奥歯の歯の間隔に略々対応した間隔をおいて間欠的に形成されており、石膏専用鋸９の刃を鋸誘導用溝３０５ののびる方向に誘導できる深さを備えている。
【００８２】
一方、支持基台３０３は、前記ピン３１４を嵌め合わせるためのピン挿入用孔３０６が設けられているとともに、隣りあうピン挿入用孔３０６の間の鋸誘導用溝３０５に対向する位置に鋸待機用溝３０４が設けられている。
鋸待機用溝３０４は、分割プレート３０２と支持基台３０３とが嵌め合わされたとき、鋸誘導用溝３０５と向き合い、断面円形の空隙が形成される。
【００８３】
分割プレート３０２のピン３１４は、それぞれ、支持基台３０３のピン挿入用孔３０６に嵌め合わされる。このようにして、分割プレート３０２と支持基台３０３が一体化される。
このとき、分割プレート３０２の鋸誘導用溝３０５と支持基台３０３の鋸待機用溝３０４は、ちょうどそれぞれの溝縁が合わさり、対向するように、鋸誘導用溝３０５と鋸待機用溝３０４の位置が定められている。
このとき、分割プレート３０２と支持基台３０３の嵌合の強さは、歯科技工作業を行う上で適度な強度を必要とするために、分割プレート３０２と支持基台３０３とを異なった材料の合成樹脂で成形した製品であり、異なった材料の合成樹脂を選択することによって、前記嵌合の強さを適正な値に調節することが容易となり、ひいては安定した精度の高い歯科補綴物７の作製を可能とする。
また、図２５図示分割プレート３０２は、一体型であるが、図２６図示分割プレート３０２は、歯茎部分の馬蹄型分割プレート３０２Ａと口蓋部分の半月型分割プレート３０２Ｂとに分割されており、馬蹄型分割プレート３０２Ａのみを石膏専用鋸９で切断することが容易なように構成されている。
図２５図示分割プレート３０２と支持基台３０３とは、合わせ面が平滑な平面状であるが、図２６図示支持基台３０３は、歯茎部分３０３Ａが若干高い馬蹄型であり、口蓋部分３０３Ｂは若干低い半月型であり、両者の間には段差が設けられ、歯茎部分３０３Ａに形成された鋸待機用溝３０４を石膏専用鋸９で切断するときに、口蓋部分３０３Ｂの切断する厚さを薄くしており、歯茎部分３０３Ａを切断し易くしている。
分割プレート３０２と支持基台３０３とを合わせたとき、分割プレート３０２の馬蹄型分割プレート３０２Ａの上面と半月型分割プレート３０２Ｂの上面とは、平面状に揃う。
【００８４】
図２６図示馬蹄型分割プレート３０２Ａは、支持基台３０３との境界面である馬蹄型分割プレート３０２Ａの下面に設けたピン３１４の各々の間において、外側端縁に斜交しまた内側端縁に斜交するように、前後（歯の表面側の前と歯の内側の後）の外側端縁と内側端縁間に亘って延伸した、幅及び深さが数ミリ程度の第１鋸誘導用溝３０５ａを備えている。
半月型分割プレート３０２Ｂは、前歯側（硬口蓋側）から奥歯側（軟口蓋側）に向けて、第３鋸誘導用溝３０５ｃが複数条形成されている。馬蹄型分割プレート３０２Ａは、前記第３鋸誘導用溝３０５ｃに連続するように、第３鋸誘導用溝は形成されていないが、形成してもよい。
一方、支持基台３０３は、前記第１鋸誘導用溝３０５ａ及び第３鋸誘導用溝３０５ｃに対応して、その（支持基台３０３の）上面のピン挿入用孔３０６の各々の間において、歯茎部分３０３Ａの外側端縁に斜交しまた歯茎部分３０３Ａの内側端縁に斜交するように、前後（歯の表面側の前と歯の内側の後）の外側端縁と内側端縁間に亘って延伸した、幅及び深さが数ミリ程度の第１鋸待機用溝３０４ａを設けられている。
支持基台３０３の口蓋部分３０３Ｂは、前歯側（硬口蓋側）から奥歯側（軟口蓋側）に向けて、第３鋸待機用溝３０４ｃが複数条形成されており、支持基台３０３の歯茎部分３０３Ａは、前記第３鋸待機用溝３０４ｃに連続するように、第２鋸待機用溝３０４ｂが複数条形成されている。
【００８５】
ピン３１４は、分割プレート３０２の下面において歯茎部の歯の位置及び口蓋部に適宜な間隔をおいて形成され、第１鋸誘導用溝３０５ａ及び第３鋸誘導用溝３０５ｃは、ピン３１４の間において、分割プレート３０２の下面において各々適宜な間隔をおいて前後方向及び放射線状に長く連続してのびている。
また、ピン挿入用孔３０６は、支持基台３０３の上面側において歯茎部の歯の位置及び口蓋部に適宜な間隔をおいて形成され、第１鋸待機用溝３０４ａ，第２鋸待機用溝３０４ｂ及び第３鋸待機用溝３０４ｃは、ピン挿入用孔３０６の間において、前記ピン３１４の位置と対応して支持基台３０３の上面において、各々適宜な間隔をおいて、前後方向及び放射線状に長く連続してのびている。
第３鋸待機用溝３０４ｃ及び第３鋸誘導用溝３０５ｃは、印象模型３０１の口蓋部分と前歯部分とを切断するときに、用いるように形成されている。
石膏専用鋸９を第１鋸待機用溝３０４ａ，第２鋸待機用溝３０４ｂ及び第３鋸待機用溝３０４ｃに沿わせて準備し、分割プレート３０２を積層し、分割プレート３０２の第１鋸誘導用溝３０５ａ及び第３鋸誘導用溝３０５ｃへと切り上げる（ラインＡに沿って）ことで、支台歯Ｃの基底面Ｃ1を確実に確保できる分割方法となる。
【００８６】
本発明にかかる歯科技工用作業模型の基台は、偏顎症例を主に記載してきたが、全顎症例にも十分適応可能である。
今までは、全顎症例においては、舌及び口蓋部分にも分割プレート２の下部に、ピン１４を施すことにより、目視確認しにくかったが、本発明にかかる歯科技工用作業模型の基台は、義歯の辺縁及び義歯床との口腔内接触部の適合確認等を可能とし、十分適応可能とした。
【００８７】
変形例たる分割プレート１０２は、図２７に示すように、その上部に患者の石膏歯型を接着剤にて貼り付けするときにピン１１４の位置を確認するための位置マーク１０２Ｍを形成されている。
位置マーク１０２Ｍは、丸印、二重丸印、文字、数字、記号等の形状で、いずれか選択される。
また、分割プレート１０２は、その上部に石膏歯型を接着剤にて貼り付けするときに接着剤を多く塗布された場合であっても、下部の支持基台１０３にまで接着剤が漏出しないように、図２７に示すように、円環状又は角環状の凹条１０２ｒを形成されている。凹条１０２ｒは、丸いレール状の物によって彫って形成する。
変形例たる分割プレート１０２は、その上部に、図２８に示すように、笑窪的な微細な凹部（ディンプル）の穴１０２ｄを細かく形成されている。穴１０２ｄは、石膏歯型を接着剤にて貼り付けするときに接着剤の漏出を防止するために形成されている。
位置マーク１０２Ｍは、石膏専用鋸９で分割プレート１０２を切断するときには、先程のピン１１４の位置マーク１０２Ｍが患者の石膏歯型模型と重なり確認できなくなる。そこで、変形例たる分割プレート１０２は、図２９に示すように、ピン１１４の位置マーク１０２Ｍから、片側か両側に各々平行のラインマーク１０２Ｌを溝状に穿ち形成されており、川の位置を確認できる。
ラインマーク１０２Ｌが、片方に形成された場合は、図３０に示すように、支持基台１０３は、前壁上にも、前記ラインマーク１０２Ｌの延長上にて、ラインマーク１０３Ｌを溝状に穿ち形成される。
ラインマーク１０２Ｌ及びラインマーク１０３Ｌは、上部の分割プレート１０２を石膏専用鋸９で分割した後に、支持基台１０３に戻す作業において、規則的な方向性（面の向き）の確認ができるように構成されている。
【００８８】
分割プレート１０２は、患者の石膏歯型を接着剤で分割プレート１０２に貼り付けた後に、石膏専用鋸９で分割する。
そして、歯科技工作業時に患者の石膏歯型及び分割プレート１０２をお湯などをかけて清掃するが、その作業中に複数人数分の混入することがある。
そのとき、分割プレート１０２の整理番号がプレートの一部に記載されていると便利である。
例えば、分割プレート１０２を金型で４個取りにより形成するならば、Ａ，Ｂ，Ｃ，Ｄ、の記号にてＡプレート、Ｂプレート、Ｃプレート、Ｄプレートと判断できるので作業効率を良くすることができる。
分割プレート１０２は、図２１及び図２２に示すように、ピン１１４の先端部の平坦部に整理番号１０２Ｎが刻印され、又はピン１１４の横の面に整理番号１０２Ｎが刻印されるとよい。
その他、整理番号１０２Ｎは、分割プレート１０２の横面の辺縁部、分割プレート１０２の上面部、裏面部、などが見やすい場所に形成するとよい。
整理番号１０２Ｎの記載方法は、分割プレート１０２の成型加工時に、彫り込むようにして形成されるとよい。
【産業上の利用可能性】
【００８９】
本発明は、歯科技工作業用模型の基台として、歯科補綴物の作製や義歯作製のために、広く歯科作業に利用できる。
【図１】
0005486598.tif 000002
【図２】
0005486598.tif 000003
【図３】
0005486598.tif 000004
【図４】
0005486598.tif 000005
【図５】
0005486598.tif 000006
【図６】
0005486598.tif 000007
【図７Ａ】
0005486598.tif 000008
【図７Ｂ】
0005486598.tif 000009
【図７Ｃ】
0005486598.tif 000010
【図７Ｄ】
0005486598.tif 000011
【図７Ｅ】
0005486598.tif 000012
【図７Ｆ】
0005486598.tif 000013
【図８Ａ】
0005486598.tif 000014
【図８Ｂ】
0005486598.tif 000015
【図８Ｃ】
0005486598.tif 000016
【図９Ａ】
0005486598.tif 000017
【図９Ｂ】
0005486598.tif 000018
【図９Ｃ】
0005486598.tif 000019
【図１０】
0005486598.tif 000020
【図１１】
0005486598.tif 000021
【図１２】
0005486598.tif 000022
【図１３】
0005486598.tif 000023
【図１４】
0005486598.tif 000024
【図１５】
0005486598.tif 000025
【図１６】
0005486598.tif 000026
【図１７】
0005486598.tif 000027
【図１８】
0005486598.tif 000028
【図１９】
0005486598.tif 000029
【図２０Ａ】
0005486598.tif 000030
【図２０Ｂ】
0005486598.tif 000031
【図２０Ｃ】
0005486598.tif 000032
【図２０Ｄ】
0005486598.tif 000033
【図２０Ｅ】
0005486598.tif 000034
【図２０Ｆ】
0005486598.tif 000035
【図２１】
0005486598.tif 000036
【図２２】
0005486598.tif 000037
【図２３】
0005486598.tif 000038
【図２４】
0005486598.tif 000039
【図２５】
0005486598.tif 000040
【図２６Ａ】
0005486598.tif 000041
【図２６Ｂ】
0005486598.tif 000042
【図２７】
0005486598.tif 000043
【図２８】
0005486598.tif 000044
【図２９】
0005486598.tif 000045
【図３０】
0005486598.tif 000046
【図３１】
0005486598.tif 000047
【図３２】
0005486598.tif 000048
【図３３】
0005486598.tif 000049
【図３４】
0005486598.tif 000050
【図３５Ａ】
0005486598.tif 000051
【図３５Ｂ】
0005486598.tif 000052
【図３５Ｃ】
0005486598.tif 000053
【図３５Ｄ】
0005486598.tif 000054
【図３５Ｅ】
0005486598.tif 000055
【図３５Ｆ】
0005486598.tif 000056